(57)【要約】【課題】  建築用モール材において、本体の内部への配線性を向上すること。【解決手段】  本体２０の内部に連続的な空隙２７を延在して備える建築用モール材１０であって、本体２０に設けられる空隙２７の開口部を塞ぐ蓋片３０が本体２０に一体に成形され、かつ本体２０は硬質材料からなり、蓋片３０は少なくとも本体２０への接合部を可撓弾性部材からなるものとしたもの。【選択図】  図３
2005139739.tif 000002
【特許請求の範囲】
【請求項１】
本体の内部に連続的な空隙を延在して備える建築用モール材であって、
本体に設けられる空隙の開口部を塞ぐ蓋片が本体に一体に成形され、かつ本体は硬質材料からなり、蓋片は少なくとも本体への接合部を可撓弾性材料からなるものとしたことを特徴とする建築用モール材。
【請求項２】
前記蓋片が本体の開口縁に一体に成形される少なくとも１枚の蓋片からなる請求項１に記載の建築用モール材。
【請求項３】
前記蓋片が本体の相対する開口縁のそれぞれに一体に成形される２枚の蓋片からなる請求項１に記載の建築用モール材。
【請求項４】
前記２枚の蓋片の先端部を互いに突き当ててなる請求項３に記載の建築用モール材。
【請求項５】
前記２枚の蓋片の先端部を互いに重ね合せてなる請求項３に記載の建築用モール材。
【請求項６】
請求項１〜５のいずれかに記載の建築用モール材の施工方法であって、
複数のモール材を互いに交差配置し、相交差するモール材の端面を互いに突き合せるにし際し、相交差するモール材の互いに突き合される断面を同一形状とする建築用モール材の施工方法。
【請求項７】
前記相交差するモール材の互いに突き合される部分をカバー材により覆う請求項６に記載の建築用モール材の施工方法。
【請求項８】
請求項１〜５のいずれかに記載の建築用モール材の施工方法であって、
原形モール材の本体の一部を切除し、残存本体と蓋片とから形成された変形モール材を用いる建築用モール材の施工方法。
【請求項９】
前記原形モール材が巾木であり、変形モール材をチェアレール、ケーシング、回り縁又はなげしとする請求項８に記載の建築用モール材の施工方法。
【発明の詳細な説明】
【技術分野】
【０００１】
本発明は建築用モール材及びその施工方法に関する。
【背景技術】
【０００２】
従来の巾木ダクトとして、特許文献１に記載の如く、本体の内部に連続的に延在される空隙を電線の配線収納部として用い、この空隙の開口部を本体と別体の蓋体により塞ぐものがある。
【特許文献１】実開昭56-25922
【発明の開示】
【発明が解決しようとする課題】
【０００３】
特許文献１の如くの従来技術には以下の問題点がある。
(1)巾木ダクトの本体と蓋体が別体となっているため、電線を配線収納部に配線する度に、蓋体を本体の開口縁に脱着する必要があり、長尺材の蓋体を嵌着することは容易でない。
【０００４】
(2)巾木ダクトは、扉等の開口枠材まわりに設けられるケーシング等の他の建築用モール材との取り合いを考慮されていない。従って、建物内で巾木ダクトが他の建築用モール材と交差配置される場合には、それらの連続性がなく、意匠上の統一（形、色）を図ることができない。
【０００５】
本発明の課題は、建築用モール材において、本体の内部への配線性を向上することにある。
【０００６】
本発明の他の課題は、建物内で互いに交差配置される複数のモール材の意匠上の統一を図ることにある。
【課題を解決するための手段】
【０００７】
請求項１の発明は、本体の内部に連続的な空隙を延在して備える建築用モール材であって、本体に設けられる空隙の開口部を塞ぐ蓋片が本体に一体に成形され、かつ本体は硬質材料からなり、蓋片は少なくとも本体への接合部を可撓弾性材料からなるものである。
【０００８】
請求項２の発明は、請求項１の発明において更に、前記蓋片が本体の開口縁に一体に成形される少なくとも１枚の蓋片からなるようにしたものである。
【０００９】
請求項３の発明は、請求項１の発明において更に、前記蓋片が本体の相対する開口縁のそれぞれに一体に成形される２枚の蓋片からなるようにしたものである。
【００１０】
請求項４の発明は、請求項３の発明において更に、前記２枚の蓋片の先端部を互いに突き当ててなるようにしたものである。
【００１１】
請求項５の発明は、請求項３の発明において更に、前記２枚の蓋片の先端部を互いに重ね合せてなるようにしたものである。
【００１２】
請求項６の発明は、請求項１〜５のいずれかに記載の建築用モール材の施工方法であって、複数のモール材を互いに交差配置し、相交差するモール材の端面を互いに突き合せるにし際し、相交差するモール材の互いに突き合される断面を同一形状とするようにしたものである。
【００１３】
請求項７の発明は、請求項６の発明において更に、前記相交差するモール材の互いに突き合される部分をカバー材により覆うようにしたものである。
【００１４】
請求項８の発明は、請求項１〜５のいずれかに記載の建築用モール材の施工方法であって、原形モール材の本体の一部を切除し、残存本体と蓋片とから形成された変形モール材を用いるようにしたものである。
【００１５】
請求項９の発明は、請求項８の発明において更に、前記原形モール材が巾木であり、変形モール材をチェアレール、ケーシング、回り縁又はなげしとするようにしたものである。
【発明の効果】
【００１６】
（請求項１）
(a)建築用モール材において、蓋片を本体に一体に成形し、かつ可撓弾性材料からなるものとしたから、蓋片を本体に対して着脱することなく、配線類を蓋片に対して指で押し込めば、蓋片は弾性撓み変形して容易に開き、配線類を本体の内部の空隙（配線類収納部）に挿入できる。配線挿入後の蓋片は、弾性的に復元して再び完全に閉じ、配線類を完全に隠して室内の美観を保ち、配線類収納部への塵埃の侵入も防止できる。
【００１７】
(b)建築用モール材の壁等への取付け時には、蓋片を弾性撓み変形して本体の内部に挿入された工具により、ビスを用いて該本体を壁等に固定できる。また、取付け後の蓋片は、完全に閉じてビス頭を室内に対して隠す。
【００１８】
（請求項２）
(c)建築用モール材の蓋片は少なくとも１枚あれば足りる。１枚の蓋片の先端部を例えば開口枠材に当接し、本体の開口部を完全に塞ぐ。
【００１９】
（請求項３、４、５）
(d)建築用モール材の蓋片は２枚からなるものでも良い。２枚の蓋片の先端部を互いに突き当て、又は重ね合せて、本体の開口部を完全に塞ぐ。２枚の蓋片の先端部を互いに突き当てたとき、配線類の挿入性は最も良い。
【００２０】
（請求項６、７）
(e)建物内で、複数のモール材（例えば巾木とケーシング）を互いに交差配置させるとき、相交差するモール材の互いに突き合される断面（例えば巾木の高さ方向の上側断面と、ケーシングの全断面）を同一形状とすることにより、一方のモール材と他方のモール材との断面形状等の連続性を確保でき、意匠上の統一（形、色）を図ることができる。
【００２１】
相交差するモール材の端面の突き合せ領域をカバー材により覆うことにより、それら端面の加工処理精度をゆるくしたり、それらの突き合せ領域に配線用切欠を開設して配線類の取回し作業性を向上した上で、カバー材によりそれらの突合せ部の美的外観性を向上できる。
【００２２】
（請求項８、９）
(f)原形モール材の本体を一部切除することにより、該原形モール材の蓋片を含む主たる断面と断面形状等の連続性があり、意匠上の統一性がある変形モール材を簡易に製作できる。
【００２３】
原形モール材を広巾の巾木や回り縁とし、中間巾の変形モール材をチェアレールやなげしとし、狭巾の変形モール材をケーシングとして用いることができる。
【発明を実施するための最良の形態】
【００２４】
図１は建物の室内構成を示す模式図、図２は巾木とケーシングの施工例を示す模式図、図３は巾木への配線挿入状態を示す模式図、図４は巾木の変形例を示す模式図、図５は巾木の変形例を示す模式図、図６は巾木の変形例を示す模式図、図７は巾木の変形例を示す模式図、図８はケーシングへの配線挿入状態を示す模式図、図９はカバー材の施工例を示す模式図、図１０は原形モール材と変形モール材を示す模式図である。
【実施例】
【００２５】
建物１には、各種のモール材１０が用いられる。図１に示したモール材１０としては、巾木１１、回り縁１２、チェアレール１３、なげし１４、ケーシング１５等がある。本発明のモール材１０は、コンセント２、照明、エアコン、電話機、パソコン、空気清浄器、換気扇等に接続される給電線、電話線、制御線等の配線類３を収納可能とするものであり、以下の如くの構成を具備する。
【００２６】
図２は、床面と壁面の交差部に配置された巾木１１と、扉等の開口枠材４まわりに配置されたケーシング１５とを示す。巾木１１とケーシング１５は互いに交差配置し、相交差する巾木１１、ケーシング１５の端面を互いに突合せている。垂直ケーシング１５と水平ケーシング１５も互いに交差配置し、相交差するケーシング１５、１５の端面を互いに突合せている。
巾木１１は、図３に示す如く、本体２０と蓋片３０とを有して構成される。
【００２７】
本体２０は、前面板２１（上下の前面板２１Ａ、２１Ｂ）、背面板２２、上面板２３、下面板２４を概ね四角枠状に成形し、この四角枠内で相対する前面板２１と背面板２２をつなぐ上下の仕切板２５、２６を設け、前面板２１と背面板２２と上下の仕切板２５、２６で囲まれる空隙２７を連続的に延在している。
【００２８】
蓋片３０は、本体２０に設けた空隙２７の開口部を塞ぐように本体２０に一体に成形され、かつ指で押し込む等により開口部を容易に開くことができる開き性を備えたものである。巾木１１は、蓋片３０により塞がされた本体２０の空隙２７を配線類３の収納部２７Ａとするものである。
【００２９】
巾木１１は、本体２０が硬質材料からなり、蓋片３０が可撓弾性材料からなるものとした、合成樹脂製の２色押出長尺成形品、又は、アルミニウムと可撓弾性材料からなる複合異型押出長尺成形品である。本体２０の硬質材料としてはアルミニウムやＡＢＳ樹脂等を採用でき、蓋片３０の可撓弾性材料としてはポリウレタン系エラストマー、軟質塩化ビニル、軟質ポリプロピレン、硬質ポリプロピレン、ゴム等を採用できる。尚、蓋片３０の可撓弾性材料として硬質ポリプロピレンを使用する場合には、蓋片３０の根元部がヒンジ状になるように薄肉部を設けるか、硬質ポリプロピレンを折り曲げてヒンジ部を形成する等して、開き性が付与される。蓋片３０は、本体２０への接合部だけを可撓弾性材料からなるものとし、他の部分を硬質材料からなるものとして開き性を備えるものとしても良い。
【００３０】
図３の巾木１１は、本体２０の上下の前面板２１Ａ、２１Ｂの相対する開口縁のそれぞれに上下２枚の板状蓋片３０Ａ、３０Ｂのそれぞれの基端部を一体に成形し、更に２枚の蓋片３０Ａ、３０Ｂの先端部を互いに隙間なく突き当てて空隙２７（配線類収納部２７Ａ）を完全に封止するものである。配線類３は、２枚の蓋片３０Ａ、３０Ｂの先端部の突き当て部に押し込まれ、それら蓋片３０Ａ、３０Ｂを可撓弾性曲げ変形させて押し開き、空隙２７（配線類収納部２７Ａ）に挿入される。
【００３１】
図４の巾木１１は、図３の巾木１１の変形例であり、本体２０の上下の開口縁のそれぞれに一体に成形された蓋片３０Ａ、３０Ｂの先端部を互いに重ね合せ、空隙２７（配線類収納部２７Ａ）を完全に封止するものである。
【００３２】
図５の巾木１１は、図３の巾木１１の変形例であり、本体２０の上面板２３を設けないものとし、本体２０における前面板２１の上縁部に１枚の半円弧断面状の蓋片３１の基端部を一体に成形したものである。蓋片３１の本体２０への接合部となる、蓋片３１の全体又はその基端部、或いは前面板２１の全体又はその上縁部は可撓弾性材料からなるものとされる。蓋片３１の先端部は自由状態で、背面板２２の上縁部に隙間なく突き当てられ、前面板２１と背面板２２と仕切板２５が囲む空隙２７を完全に塞いで配線類収納部２７Ａを封止可能にする。蓋片３１の先端部と背面板２２の上縁部との突き当て部は、壁面に臨み、室内に露見しない。尚、蓋片３１の先端部は自由状態で壁面に指向していれば、必ずしも背面板２２の上縁部に隙間なく突き当てる必要はなく、隙間を介して向き合わせた状態でも良い。
【００３３】
図６の巾木１１は、図３の巾木１１の変形例であり、本体２０の下前面板２１Ｂと下面板２４を設けないものとし（但し下面板２４はあっても可）、本体２０における上前面板２１Ａの下縁部に１枚の板状の蓋片３２の基端部を一体に成形したものである。蓋片３２の本体２０への接合部たる、蓋片３２の全体又はその基端部は可撓弾性材料からなるものとされる。蓋片３２の先端部は床面に向けて垂下し、自由状態で、床面に隙間なく（又は微小隙間を介して）突き当てられ、背面板２２と下仕切板２６が囲む空隙２７を完全に塞いで配線類収納部２７Ａを封止可能にする。
【００３４】
図７の巾木１１は図３の巾木１１の更なる変形例であり、蓋片３０を１枚の蓋片３０Ａのみからなるものとし、蓋片３０Ａの先端部を、本体２０の下前面板２１Ｂの上方延長端に突き当てて空隙２７（配線類収納部２７Ａ）を封止するものである。
【００３５】
ケーシング１５は、図８に示す如く、本体４０と蓋片５０とを有して構成される。ケーシング１５は、本体４０の内部に連続的な空隙４１を延在し、この空隙４１の開口部を塞ぐ蓋片５０を本体４０に一体に成形し、蓋片５０により塞がれた本体４０の空隙４１を配線類３の収納部４１Ａとするものである。
【００３６】
ケーシング１５は、前述の巾木１１と同様に、本体４０が硬質材料からなり、蓋片５０が少なくとも本体４０への接合部（蓋片５０の全体でも可）を可撓弾性材料からなるものとした、合成樹脂製の２色押出長尺成形品、又は、アルミニウムと可撓弾性材料からなる複合異型押出長尺成形品である。
【００３７】
ケーシング１５は、本体４０の開口枠材４と相対する開口縁に１枚の板状の蓋片５０の基端部を一体に成形し、蓋片５０の先端部を開口枠材４に隙間なく突き当てて空隙４１（配線類収納部４１Ａ）を完全に封止するものになる。配線類３は、蓋片５０の先端部に押し込まれ、蓋片５０を可撓弾性曲げ変形させて押し開き、空隙４１（配線類収納部４１Ａ）に挿入される。
【００３８】
図９（図２も同じ）は、相交差する巾木１１、ケーシング１５の互いに突合される断面を同一形状としたものである。即ち、巾木１１の全断面を上下半割りし、上側本体２０（上前面板２１Ａ、背面板２２の上半分、上面板２３、上仕切板２５）と上側蓋片３０Ａからなる上半割体がなす断面と、ケーシング１５の断面とを同一にした。ケーシング１５の本体４０は巾木１１の上側本体２０と、蓋片５０は巾木１１の上側蓋片３０Ａとそれぞれ同一断面をなす。これにより、相交差する巾木１１とケーシング１５の連続性を確保し、意匠上の統一性を図ることができる。
【００３９】
また、図９にあっては、相交差する巾木１１、ケーシング１５の互いに突き合される部分をカバー材７１により覆い、相交差する垂直ケーシング１５と水平ケーシング１５の互いに突き合される部分をカバー材７２により覆い、それらの突合せ部の美的外観を向上可能にした。
【００４０】
図１０は、広巾の巾木１１を原形モール材１０Ａとし、この原形モール材１０Ａの本体２０の一部を切除し、残存本体と蓋片とから変形モール材１０Ｂ、１０Ｃを形成し、中間巾の変形モール材１０Ｂをチェアレール１３やなげし１４として用い、狭巾の変形モール材１０Ｃをケーシング１５として用いるようにしたものである。尚、本体２０の一部の切除は、鋸等による他、本体２０の前面板２１、背面板２２に予め成形した連続溝等で折る、割る等によって行なうものでも良い。
図１０（Ａ）は図３に示したと同じ広巾ａの巾木１１（原形モール材１０Ａ）である。
【００４１】
広巾の原形モール材１０Ａの本体２０における、下仕切板２６の直下から下部を切除することにより、図１０（Ｂ）に示す如く、中間巾ｂの変形モール材１０Ｂが別途押出成形によらず製作できる。変形モール材１０Ｂの本体２０は、原形モール材１０Ａにおけると同様の空隙２７（配線類収納部２７Ａ）と、２枚の蓋片３０Ａ、３０Ｂを備える。
【００４２】
広巾の原形モール材１０Ａの本体２０における、上蓋片３０Ａの先端縁に対応する背面板２２の中間部より下部を切除することにより、図１０（Ｃ）に示す如く、狭巾ｃの変形モール材１０Ｃが別途押出成形によらず製作できる。変形モール材１０Ｃは、本体２０の上前面板２１Ａ、背面板２２、上仕切板２５が囲む空隙２７（配線類収納部２７Ａ）と、１枚の蓋片３０Ａを備え、図８に示したケーシング１５（本体４０、蓋片５０）と同一をなす。
【００４３】
本実施例によれば以下の作用効果を奏する。
(a)建築用モール材１０において、蓋片３０（３０Ａ、３０Ｂ、３１、３２、５０）を本体２０、４０に一体に成形し、かつ可撓弾性材料からなるものとしたから、蓋片３０（３０Ａ、３０Ｂ、３１、３２、５０）を本体２０、４０に対して着脱することなく、配線類３を蓋片３０（３０Ａ、３０Ｂ、３１、３２、５０）に対して指で押し込めば、蓋片３０（３０Ａ、３０Ｂ、３１、３２、５０）は弾性撓み変形して容易に開き、配線類３を本体２０、４０の内部の空隙２７、４１（配線類収納部２７Ａ、４１Ａ）に挿入できる。配線挿入後の蓋片３０（３０Ａ、３０Ｂ、３１、３２、５０）は、弾性的に復元して再び完全に閉じ、配線類３を完全に隠して室内の美観を保ち、配線類収納部２７Ａ、４１Ａへの塵埃の侵入も防止できる。
【００４４】
(b)建築用モール材１０の壁等への取付け時には、蓋片３０（３０Ａ、３０Ｂ、３１、３２、５０）を弾性撓み変形して本体２０、４０の内部に挿入された工具により、ビスを用いて該本体２０、４０を壁等に固定できる。また、取付け後の蓋片３０（３０Ａ、３０Ｂ、３１、３２、５０）は、完全に閉じてビス頭を室内に対して隠す。
【００４５】
(c)建築用モール材１０の蓋片３０（３０Ａ、３０Ｂ、３１、３２、５０）は少なくとも１枚あれば足りる。１枚の蓋片３０（３０Ａ、３０Ｂ、３１、３２、５０）の先端部を例えば開口枠材４に当接し、本体２０、４０の開口部を完全に塞ぐ。
【００４６】
(d)建築用モール材１０の蓋片３０（３０Ａ、３０Ｂ）は２枚からなるものでも良い。２枚の蓋片３０（３０Ａ、３０Ｂ）の先端部を互いに突き当て、又は重ね合せて、本体２０、４０の開口部を完全に塞ぐ。２枚の蓋片３０Ａ、３０Ｂの先端部を互いに突き当てたとき、配線類３の挿入性は最も良い。
【００４７】
(e)建物内で、複数のモール材１０（例えば巾木１１とケーシング１５）を互いに交差配置させるとき、相交差するモール材１０の互いに突き合される断面（例えば巾木１１の高さ方向の上側断面と、ケーシング１５の全断面）を同一形状とすることにより、一方のモール材１０と他方のモール材１０との断面形状等の連続性を確保でき、意匠上の統一（形、色）を図ることができる。
【００４８】
相交差するモール材１０の端面の突き合せ領域をカバー材７１、７２により覆うことにより、それら端面の加工処理精度を粗くしたり、それらの突き合せ領域に配線用切欠を開設して配線類３の取回し作業性を向上した上で、カバー材７１、７２によりそれらの突合せ部の美的外観性を向上できる。
【００４９】
(f)原形モール材１０Ａの本体２０を一部切除することにより、該原形モール材１０Ａの蓋片３０を含む主たる断面と断面形状等の連続性があり、意匠上の統一性がある変形モール材１０Ｂ、１０Ｃを簡易に製作できる。
【００５０】
原形モール材１０Ａを広巾の巾木１１や回り縁１２とし、中間巾の変形モール材１０Ｂをチェアレール１３やなげし１４とし、狭巾の変形モール材１０Ｃをケーシング１５として用いることができる。
【００５１】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００５２】
【図１】図１は建物の室内構成を示す模式図である。
【図２】図２は巾木とケーシングの施工例を示す模式図である。
【図３】図３は巾木への配線挿入状態を示す模式図である。
【図４】図４は巾木の変形例を示す模式図である。
【図５】図５は巾木の変形例を示す模式図である。
【図６】図６は巾木の変形例を示す模式図である。
【図７】図７は巾木の変形例を示す模式図である。
【図８】図８はケーシングへの配線挿入状態を示す模式図である。
【図９】図９はカバー材の施工例を示す模式図である。
【図１０】図１０は原形モール材と変形モール材を示す模式図である。
【符号の説明】
【００５３】
１０  モール材
１０Ａ  原形モール材
１０Ｂ、１０Ｃ  変形モール材
１１  巾木
１２  回り縁
１３  チェアレール
１４  なげし
１５  ケーシング
２０、４０  本体
２７、４１  空隙
２７Ａ、４１Ａ  配線類収納部
３０、３０Ａ、３０Ｂ、３１、３２、５０  蓋片
７１、７２  カバー材
【図１】
2005139739.tif 000003
【図２】
2005139739.tif 000004
【図３】
2005139739.tif 000005
【図４】
2005139739.tif 000006
【図５】
2005139739.tif 000007
【図６】
2005139739.tif 000008
【図７】
2005139739.tif 000009
【図８】
2005139739.tif 000010
【図９】
2005139739.tif 000011
【図１０】
2005139739.tif 000012